(57)【要約】【課題】プラズマディスプレイパネルで、安定した書込み放電を発生させつつ、黒輝度を抑えてコントラストをさらに高めた画像を表示する。【解決手段】初期化期間には、全ての放電セルで初期化放電を発生させる全セル初期化動作または直前のサブフィールドで書込み動作を行った放電セルで初期化放電を発生させる選択初期化動作を行い、全セル初期化動作を行うサブフィールドを含む第１フィールドと、全セル初期化動作を行うサブフィールドを含まない第２フィールドとを用いて階調を表示するとともに、第１のサブフィールドの輝度重みと同じ輝度重みを持つ第２フィールドの第２のサブフィールドにおいて、走査電極ＳＣ１〜ＳＣｎを少なくとも第１走査電極群および第２走査電極群を含む複数の走査電極群に分け、第１走査電極群の書込み動作の終了後、第２走査電極群の選択初期化動作を行う。【選択図】図３
2010117391.tif 000002
【特許請求の範囲】
【請求項１】
走査電極と維持電極とデータ電極とを有する放電セルを複数備えたプラズマディスプレイパネルの駆動方法であって、
前記放電セルで初期化放電を発生させる初期化期間と、前記放電セルで選択的に書込み放電を発生させる書込み期間と、書込み放電を発生した前記放電セルでサブフィールド毎に定められた輝度重みに応じた回数の維持放電を発生させる維持期間と、を有するサブフィールドを複数用いて１フィールドを構成し、
前記初期化期間には、全ての前記放電セルで初期化放電を発生させる全セル初期化動作または直前のサブフィールドで書込み動作を行った前記放電セルで初期化放電を発生させる選択初期化動作を行い、
前記全セル初期化動作を行うサブフィールドを含む第１フィールドと、前記全セル初期化動作を行うサブフィールドを含まない第２フィールドとを用いて階調を表示するとともに、
前記第１フィールドの前記全セル初期化動作を行う第１のサブフィールドにおいて、前記走査電極で同時に前記全セル初期化動作を行い、
前記第１のサブフィールドの輝度重みと同じ輝度重みを持つ前記第２フィールドの第２のサブフィールドにおいて、前記走査電極を少なくとも第１走査電極群および第２走査電極群を含む複数の走査電極群に分け、前記第１走査電極群の書込み動作の終了後、前記第２走査電極群の前記選択初期化動作を行うことを特徴とするプラズマディスプレイパネルの駆動方法。
【請求項２】
前記第１フィールドと前記第２フィールドとは、交互に用いられることを特徴とする請求項１に記載のプラズマディスプレイパネルの駆動方法。
【請求項３】
前記第２のサブフィールドの書込み期間に前記走査電極に印加する走査パルスのパルス幅を、前記第１のサブフィールドの書込み期間に前記走査電極に印加する走査パルスのパルス幅よりも長く設定することを特徴とする請求項１に記載のプラズマディスプレイパネルの駆動方法。
【請求項４】
走査電極と維持電極とデータ電極とを有する放電セルを複数備えたプラズマディスプレイパネルと、前記プラズマディスプレイパネルを駆動する駆動回路とを備え、
前記駆動回路は、
前記放電セルで初期化放電を発生させる初期化期間と、前記放電セルで選択的に書込み放電を発生させる書込み期間と、書込み放電を発生した前記放電セルでサブフィールド毎に定められた輝度重みに応じた回数の維持放電を発生させその後消去放電を発生させる維持期間と、を有するサブフィールドを複数用いて１フィールドを構成し、前記初期化期間には、全ての前記放電セルで初期化放電を発生させる全セル初期化動作または直前のサブフィールドで書込み動作を行った前記放電セルで初期化放電を発生させる選択初期化動作を行うとともに、
前記全セル初期化動作を行うサブフィールドを含む第１フィールドと、前記全セル初期化動作を行うサブフィールドを含まない第２フィールドとを用いて階調を表示し、
前記第１フィールドの前記全セル初期化動作を行う第１のサブフィールドにおいて、前記走査電極で同時に前記全セル初期化動作を行い、
前記第１のサブフィールドの輝度重みと同じ輝度重みを持つ前記第２フィールドの第２のサブフィールドにおいて、前記走査電極を少なくとも第１走査電極群および第２走査電極群を含む複数の走査電極群に分け、前記第１走査電極群の書込み動作の終了後、前記第２走査電極群の前記選択初期化動作を行うことを特徴とするプラズマディスプレイ装置。
【発明の詳細な説明】
【技術分野】
【０００１】
本発明は、交流面放電型のプラズマディスプレイパネルの駆動方法およびそれを用いたプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。
【０００３】
図８は、一般的なパネル１０の分解斜視図である。前面板２０は、ガラス製の前面基板２１上に、走査電極２２と維持電極２３とが複数形成されている。そして１対の走査電極２２と維持電極２３とが１つの表示電極対２４を形成している。そして表示電極対２４を覆うように誘電体層２５が形成され、その誘電体層２５上に保護層２６が形成されている。背面板３０は、ガラス製の背面基板３１上にデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【０００４】
これら前面板２０と背面板３０とは、微小な放電空間を挟んで表示電極対２４とデータ電極３２とが交差するように対向配置され、その外周部をガラスフリット等の封着材によって封着されている。そして放電空間には、例えばキセノンを含む放電ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【０００５】
なお、パネル１０の構造は上述したものに限られるわけではなく、例えばストライプ状の隔壁を備えたものであってもよい。
【０００６】
図９は、上記パネル１０の電極配列図である。パネル１０には、行方向に長いｎ本の走査電極ＳＣ１〜ＳＣｎ（図８の走査電極２２）およびｎ本の維持電極ＳＵ１〜ＳＵｎ（図８の維持電極２３）が配列され、列方向に長いｍ本のデータ電極Ｄ１〜Ｄｍ（図８のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【０００７】
次に、パネル１０を駆動する方法について説明する。パネル１０はサブフィールド法を用いて駆動される。すなわち、放電セルで初期化放電を発生させる初期化期間と、放電セルで選択的に書込み放電を発生させる書込み期間と、書込み放電を発生した放電セルでサブフィールド毎に定められた輝度重みに応じた回数の維持放電を発生させその後消去放電を発生させる維持期間と、を有するサブフィールドを複数用いて１フィールドを構成し、サブフィールド毎に各放電セルの発光・非発光を制御することによって階調表示を行う。
【０００８】
初期化期間では初期化放電を発生し書込み放電に必要な壁電圧を形成する初期化動作を行う。なお、壁電圧とは放電セル内部に蓄積された壁電荷により生じる電圧を表す。このときの初期化動作には、全ての放電セルで初期化放電を発生させる全セル初期化動作と、直前のサブフィールドで書込み放電を行った放電セルで初期化放電を発生させる選択初期化動作とがある。
【０００９】
放電は、表示電極対２４に印加した電圧の電圧差Ｖｓｕｐと放電セル内部の壁電圧の電圧差Ｖｗａｌｌとの合計の電圧差Ｖｔｏｔの絶対値が放電開始電圧Ｖｆを超えたときに発生する。パネル１０の初期状態では電圧差Ｖｔｏｔの絶対値が放電開始電圧Ｖｆ未満であるが、表示電極対２４に電圧は印加されていないので電圧差Ｖｓｕｐ＝０（Ｖ）とすると、壁電圧の電圧差Ｖｗａｌｌの絶対値は放電開始電圧Ｖｆ未満である。そして電圧差Ｖｗａｌｌは、−Ｖｆ＜Ｖｗａｌｌ＜Ｖｆの範囲であれば任意の値をとることができる。
【００１０】
図１０は、上記パネル１０において、全セル初期化動作を行うための条件を説明するための図である。例えば図１０（ａ）に示すように、ある放電セルの壁電圧の電圧差Ｖｗａｌｌが放電開始電圧Ｖｆよりもわずかに低い電圧差Ｖｗａｌｌ（ａ）であったとすると、同極性のわずかな電圧差Ｖｓｕｐ（ａ）を表示電極対２４に印加するだけで合計の電圧差Ｖｔｏｔ（ａ）が放電開始電圧Ｖｆを超えて放電が発生する。また図１０（ｂ）に示すように、ある放電セルの壁電圧の電圧差Ｖｗａｌｌが電圧差０（Ｖ）であったとすると、放電開始電圧Ｖｆを超える電圧差Ｖｓｕｐ（ｂ）を表示電極対２４に印加することで合計の電圧差Ｖｔｏｔ（ｂ）が放電開始電圧Ｖｆを超えて放電が発生する。また図１０（ｃ）に示すように、ある放電セルの壁電圧の電圧差Ｖｗａｌｌが放電開始電圧Ｖｆよりもわずかに低い電圧であってかつ図１０（ａ）に示した電圧差Ｖｗａｌｌ（ａ）と逆極性の電圧Ｖｗａｌｌ（ｃ）＝−Ｖｗａｌｌ（ａ）であったとする。この場合には、放電開始電圧Ｖｆのおよそ２倍の電圧、またはそれ以上の電圧差Ｖｓｕｐ（ｃ）を表示電極対２４に印加しなければ合計の電圧差Ｖｔｏｔ（ｃ）が放電開始電圧Ｖｆを超えず放電が発生しない。従って全ての放電セルで初期化放電を発生させるためには、表示電極対２４に印加する電圧差Ｖｓｕｐの振幅が放電開始電圧Ｖｆの２倍以上となるように設定しなければならない。
【００１１】
画像表示を開始する場合、パネル１０の初期状態では放電セルの壁電圧の電圧差Ｖｗａｌｌは、−Ｖｆ＜Ｖｗａｌｌ＜Ｖｆの範囲で任意の値をとることができ、放電セルのそれぞれで同じ値をとるとは限らない。そのため一旦全セル初期化動作を行って全ての放電セルの壁電圧を確定させる必要がある。また全セル初期化動作は放電セル内部にプライミングを発生させる効果もあり、全ての放電セルで放電を安定して発生させるために必要である。しかし全ての放電セルが発光するので、黒表示領域の輝度（以下、「黒輝度」と略記する）を上昇させ、コントラストを低下させるという副作用がある。
【００１２】
この全セル初期化動作を行うサブフィールドを１フィールドに１回とし、緩やかに変化する傾斜波形電圧を用いて全セル初期化動作を行うことで、階調表示に関係しない発光を極力減らしコントラストを向上させた新規な駆動方法が、例えば、特許文献１に開示されている。
【特許文献１】特開２０００−２４２２２４号公報
【発明の開示】
【発明が解決しようとする課題】
【００１３】
近年、パネルはますます大画面化、高精細化され、それにともない表示画像のさらなる高コントラスト化、高画質化が求められている。
【００１４】
特許文献１には、全セル初期化動作を行うサブフィールドを１フィールドに１回とすることによりコントラストを高めた駆動方法が記載されているが、それ以上にコントラストを高めるために、全セル初期化動作を行うサブフィールドをさらに減らした駆動を考えることができる。例えば、２フィールドに１回の割合で全セル初期化動作を行うことで、コントラストを２倍にあげることができる。
【００１５】
一方、サブフィールド法を用いてパネルを駆動する場合、上述したように、書込み期間では複数の走査電極に走査パルスを順次印加して走査を行う。従って、複数の放電セルのうち走査パルスが印加される順番が遅い放電セルでは、初期化波形が印加されてから走査パルスが印加されるまでの時間が長くなる。
【００１６】
初期化放電よって放電セルに形成された壁電荷は、他の放電セルに書込み放電を発生させるためにデータ電極に印加される書込みパルスの影響を受けて徐々に減少する。そのため、走査パルスが印加される順番が遅い放電セルでは、その放電セルに走査パルスおよび書込みパルスが印加されるまでに壁電荷が減少し、書込み放電の放電不良が発生する場合がある。特に、全セル初期化動作を行わなかったフィールドでは、書込み放電の放電不良が発生する傾向がより強くなる。
【００１７】
書込み放電を安定に発生させるためには、各電極に印加する駆動電圧を上げればよいが、これは消費電力を増大させる一因となる。
【００１８】
本発明は上記の課題に鑑みなされたものであり、全セル初期化動作を行うサブフィールドを１フィールドに１回未満の割合に設定しても、安定した書込み放電を発生させつつ、黒輝度を抑えてコントラストをさらに高めた迫力のある画像表示が可能なパネルの駆動方法およびプラズマディスプレイ装置を提供することを目的とする。
【課題を解決するための手段】
【００１９】
上記目的を達成するために本発明は、走査電極と維持電極とデータ電極とを有する放電セルを複数備えたパネルの駆動方法であって、放電セルで初期化放電を発生させる初期化期間と、放電セルで選択的に書込み放電を発生させる書込み期間と、書込み放電を発生した放電セルでサブフィールド毎に定められた輝度重みに応じた回数の維持放電を発生させる維持期間と、を有するサブフィールドを複数用いて１フィールドを構成し、初期化期間には全ての放電セルで初期化放電を発生させる全セル初期化動作または直前のサブフィールドで書込み動作を行った放電セルで初期化放電を発生させる選択初期化動作を行い、全セル初期化動作を行うサブフィールドを含む第１フィールドと、全セル初期化動作を行うサブフィールドを含まない第２フィールドとを用いて階調を表示するとともに、第１フィールドの全セル初期化動作を行う第１のサブフィールドにおいて、走査電極で同時に全セル初期化動作を行い、第１のサブフィールドの輝度重みと同じ輝度重みを持つ第２フィールドの第２のサブフィールドにおいて、走査電極を少なくとも第１走査電極群および第２走査電極群を含む複数の走査電極群に分け、第１走査電極群の書込み動作の終了後、第２走査電極群の選択初期化動作を行うことを特徴とする。この方法により、全セル初期化動作を行うサブフィールドを１フィールドに１回未満の割合に設定しても、走査パルスの振幅を高くすることなく、安定した書込み放電を発生させつつ、黒輝度を抑えてコントラストをさらに高めた迫力のある画像表示が可能なパネルの駆動方法を提供することができる。
【００２０】
また本発明のパネルの駆動方法は、第１フィールドと第２フィールドとを、交互に用いてもよい。
【００２１】
また本発明のパネルの駆動方法の、第２のサブフィールドの書込み期間に走査電極に印加する走査パルスのパルス幅を、第１のサブフィールドの書込み期間に走査電極に印加する走査パルスのパルス幅よりも長く設定してもよい。この方法により、全セル初期化動作を行う第１のサブフィールドの輝度重みと同じ輝度重みを持つ第２フィールドの第２のサブフィールドの書込み期間における放電遅れ時間が長くなっても確実に書込み放電を発生させることができる。
【００２２】
また本発明のプラズマディスプレイ装置は、走査電極と維持電極とデータ電極とを有する放電セルを複数備えたパネルと、パネルを駆動する駆動回路とを備え、駆動回路は、放電セルで初期化放電を発生させる初期化期間と、放電セルで選択的に書込み放電を発生させる書込み期間と、書込み放電を発生した放電セルでサブフィールド毎に定められた輝度重みに応じた回数の維持放電を発生させその後消去放電を発生させる維持期間と、を有するサブフィールドを複数用いて１フィールドを構成し、初期化期間には全ての放電セルで初期化放電を発生させる全セル初期化動作または直前のサブフィールドで書込み動作を行った放電セルで初期化放電を発生させる選択初期化動作を行うとともに、全セル初期化動作を行うサブフィールドを含む第１フィールドと、全セル初期化動作を行うサブフィールドを含まない第２フィールドとを用いて階調を表示し、第１フィールドの全セル初期化動作を行う第１のサブフィールドにおいて、走査電極で同時に全セル初期化動作を行い、第１のサブフィールドの輝度重みと同じ輝度重みを持つ第２フィールドの第２のサブフィールドにおいて、走査電極を少なくとも第１走査電極群および第２走査電極群を含む複数の走査電極群に分け、第１走査電極群の書込み動作の終了後、第２走査電極群の選択初期化動作を行うことを特徴とする。この構成により、全セル初期化動作を行うサブフィールドを１フィールドに１回未満の割合に設定しても、安定した書込み放電を発生させつつ、黒輝度を抑えてコントラストをさらに高めた迫力のある画像表示が可能なプラズマディスプレイ装置を提供することが可能となる。
【発明の効果】
【００２３】
本発明によれば、全セル初期化動作を行うサブフィールドを１フィールドに１回未満の割合に設定しても、安定した書込み放電を発生させつつ、黒輝度を抑えてコントラストをさらに高めた迫力のある画像表示が可能なパネルの駆動方法およびプラズマディスプレイ装置を提供することが可能となる。
【発明を実施するための最良の形態】
【００２４】
以下、本発明の実施の形態におけるプラズマディスプレイ装置について、図面を用いて説明する。
【００２５】
（実施の形態）
本発明の実施の形態におけるプラズマディスプレイ装置に用いるパネルは、図８に示したパネル１０と同様であり、またパネル１０の電極配列も図９に示した電極配列と同様であるため、説明を省略する。
【００２６】
次に、パネル１０を駆動する方法について説明する。パネル１０はサブフィールド法を用いて駆動される。すなわち、放電セルで初期化放電を発生させる初期化期間と、放電セルで選択的に書込み放電を発生させる書込み期間と、書込み放電を発生した放電セルでサブフィールド毎に定められた輝度重みに応じた回数の維持放電を発生させる維持期間と、を有するサブフィールドを複数用いて１フィールドを構成し、サブフィールド毎に各放電セルの発光・非発光を制御することによって階調表示を行う。
【００２７】
初期化期間では、初期化放電を発生し書込み放電に必要な壁電圧を形成する初期化動作を行う。なお、壁電圧とは放電セル内部に蓄積された壁電荷により生じる電圧を表す。このときの初期化動作には、全ての放電セルで初期化放電を発生させる全セル初期化動作と、直前のサブフィールドで書込み放電を行った放電セルで初期化放電を発生させる選択初期化動作とがある。
【００２８】
本実施の形態においては、黒輝度の上昇を抑えるために、フィールド毎に全セル初期化動作を行うのではなく、２フィールドに１回の割合で全セル初期化動作を行っている。すなわち、初期化期間に全ての放電セルで初期化放電を発生させる全セル初期化サブフィールドを含む第１フィールドと、全セル初期化サブフィールドを含まない第２フィールドとを用いて階調を表示している。これにより従来のプラズマディスプレイ装置に比較して、コントラストをおよそ２倍に向上させることができる。
【００２９】
さらに、詳細は後述するが、第１フィールドの全セル初期化サブフィールドにおいて走査電極に同一の初期化波形を印加して全セル初期化動作を行い、第１フィールドの全セル初期化サブフィールドの輝度重みと同じ輝度重みを持つ第２フィールドの第２のサブフィールドにおいて、走査電極を少なくとも第１走査電極群および第２走査電極群を含む複数の走査電極群に分け、第１走査電極群の選択初期化動作および書込み動作の終了後、第２走査電極群の選択初期化動作を行うように駆動している。このため全セル初期化動作を行うサブフィールドを１フィールドに１回未満の割合に設定しても、走査パルスの振幅を高くすることなく、安定した書込み放電を発生させつつ、黒輝度を抑えてコントラストをさらに高めた迫力のある画像を表示することができる。
【００３０】
以下、説明のために、１つのフィールドを１０のサブフィールド（ＳＦ１、ＳＦ２、・・・、ＳＦ１０）に分割し、各サブフィールドのそれぞれは、例えば（１、２、３、６、１２、２２、３７、４５、５７、７１）の輝度重みを持つものとする。また、第１フィールドはＳＦ１の初期化期間において全セル初期化動作を行いＳＦ２〜ＳＦ１０の初期化期間において選択初期化動作を行うフィールドであり、第２フィールドはＳＦ１〜ＳＦ１０の初期化期間において選択初期化動作を行うフィールドであるとする。
【００３１】
まず、全セル初期化動作を行うサブフィールドを有する第１フィールドについて詳細に説明する。図１は、本発明の実施の形態におけるパネル１０の各電極に印加する駆動電圧波形図であり、第１フィールドにおける駆動電圧波形図である。
【００３２】
第１フィールドのＳＦ１は、全セル初期化動作を行う第１のサブフィールドである。第１フィールドのＳＦ１の初期化期間では全セル初期化動作を行う。具体的には、まずデータ電極Ｄ１〜Ｄｍに電圧０（Ｖ）を印加し、維持電極ＳＵ１〜ＳＵｎにも電圧０（Ｖ）を印加する。そして走査電極ＳＣ１〜ＳＣｎには、維持電極ＳＵ１〜ＳＵｎに対する放電開始電圧以下の電圧Ｖｉ１から放電開始電圧を超える電圧Ｖｉ２に向かって緩やかに上昇する上り傾斜波形電圧を印加する。すると、走査電極ＳＣ１〜ＳＣｎと維持電極ＳＵ１〜ＳＵｎとの間、走査電極ＳＣ１〜ＳＣｎとデータ電極Ｄ１〜Ｄｍとの間でそれぞれ微弱な初期化放電が起こり、走査電極ＳＣ１〜ＳＣｎ上に負の壁電圧が蓄積されるとともにデータ電極Ｄ１〜Ｄｍ上および維持電極ＳＵ１〜ＳＵｎ上に正の壁電圧が蓄積される。ここで、電極上の壁電圧とは電極を覆う誘電体層３３上、保護層２６上、蛍光体層３５上等に蓄積された壁電荷により生じる電圧を表す。
【００３３】
次に、維持電極ＳＵ１〜ＳＵｎに電圧Ｖｅ１を印加し、走査電極ＳＣ１〜ＳＣｎに電圧Ｖｉ３から電圧Ｖｉ４に向かって緩やかに下降する下り傾斜波形電圧を印加する。すると走査電極ＳＣ１〜ＳＣｎと維持電極ＳＵ１〜ＳＵｎとの間、走査電極ＳＣ１〜ＳＣｎとデータ電極Ｄ１〜Ｄｍとの間で再び微弱な初期化放電が起こる。そして、走査電極ＳＣ１〜ＳＣｎ上の負の壁電圧および維持電極ＳＵ１〜ＳＵｎ上の正の壁電圧が弱められるとともに、データ電極Ｄ１〜Ｄｍ上の正の壁電圧が書込み動作に適した値に調整される。このようにして、画像信号にかかわらず、全ての放電セルで初期化放電を発生させ、以降の放電を発生させやすくするためのプライミングを発生するとともに書込み放電に必要な壁電荷を形成する。
【００３４】
このようにして表示電極対に印加する電圧差Ｖｓｕｐは電圧（Ｖｉ２−０）から電圧（Ｖｉ４−Ｖｅ１）まで変化し、その振幅は、電圧（Ｖｉ２−Ｖｉ４＋Ｖｅ１）となって放電開始電圧Ｖｆの２倍以上となる。ただし電圧Ｖｉ４は負の電圧である。こうして第１フィールドのＳＦ１の初期化期間において、全ての放電セルに対して初期化放電を発生させる全セル初期化動作を行う。
【００３５】
続くＳＦ１の書込み期間では、走査電極ＳＣ１、ＳＣ２、・・・、ＳＣｎに走査パルスを順次印加するとともに、発光すべき放電セルに対応するデータ電極Ｄｋ（ｋ＝１〜ｍ）に書込みパルスを印加して書込み放電を発生させ、続く維持放電に必要な壁電荷を形成する。
【００３６】
具体的には、まず走査電極ＳＣ１〜ＳＣｎに電圧Ｖｃを、データ電極Ｄ１〜Ｄｍに電圧０（Ｖ）を、維持電極ＳＵ１〜ＳＵｎに電圧Ｖｅ２をそれぞれ印加する。
【００３７】
次に、１行目の走査電極ＳＣ１に電圧Ｖａの走査パルスを印加するとともに、発光すべき放電セルに対応するデータ電極Ｄｋに電圧Ｖｄの書込みパルスを印加する。すると、データ電極Ｄｋと走査電極ＳＣ１との間および維持電極ＳＵ１と走査電極ＳＣ１との間で書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルスを印加しなかったデータ電極Ｄ１〜Ｄｍと走査電極ＳＣ１との交差部の電圧は放電開始電圧を超えないので、書込み放電は発生しない。
【００３８】
ここで、走査電極ＳＣ１に印加される走査パルスの振幅は電圧Ｖｃと電圧Ｖａとの差、すなわち電圧（Ｖｃ−Ｖａ）である。
【００３９】
以上の書込み動作をｎ行目の放電セルに至るまで繰り返し、発光すべき放電セルに対して選択的に書込み放電を発生させ壁電荷を形成する。
【００４０】
続くＳＦ１の維持期間では、輝度重みに応じた数（「０」を含む）の維持パルスを表示電極対に印加し、書込み期間において書込み放電を起こした放電セルで維持放電を発生させる。そして維持期間の最後には壁電圧を消去する消去放電を行う。
【００４１】
具体的には、まず維持電極ＳＵ１〜ＳＵｎに電圧０（Ｖ）を印加するとともに走査電極ＳＣ１〜ＳＣｎに電圧Ｖｓの維持パルスを印加する。すると書込み放電を起こした放電セルでは、走査電極ＳＣｉ上と維持電極ＳＵｉ上との電圧差は電圧Ｖｓに走査電極ＳＣｉ上の壁電圧と維持電極ＳＵｉ上の壁電圧との差を加算したものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。一方、書込み期間において書込み放電が起きなかった放電セルでは維持放電は発生せず、初期化期間の終了時における壁電圧が保たれる。
【００４２】
続いて、走査電極ＳＣ１〜ＳＣｎには電圧０（Ｖ）を印加するとともに維持電極ＳＵ１〜ＳＵｎに電圧Ｖｓの維持パルスを印加する。すると、維持放電を起こした放電セルでは再び維持放電が起こり、蛍光体層３５が発光する。そして維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加し、書込み期間において書込み放電を起こした放電セルで維持放電を継続して発生させる。
【００４３】
そして維持期間の最後には、電圧Ｖｒ１に向かって緩やかに上昇する上り傾斜波形電圧を走査電極ＳＣ１〜ＳＣｎに印加する。すると維持放電を行った放電セルでは消去放電が発生して、データ電極Ｄｋ上の正の壁電圧を残したまま、走査電極ＳＣｉ上および維持電極ＳＵｉ上の壁電圧が消去される。
【００４４】
なお、輝度重みに応じた維持パルスの数が「０」の場合には、走査電極ＳＣ１〜ＳＣｎおよび維持電極ＳＵ１〜ＳＵｎに維持パルスを印加することなく、到達電圧Ｖｒ１に向かって緩やかに上昇する上り傾斜波形電圧を走査電極ＳＣ１〜ＳＣｎに印加して消去放電を発生させる。こうして維持期間における維持動作が終了する。
【００４５】
このように、第１フィールドのＳＦ１では、全ての走査電極ＳＣ１〜ＳＣｎに同時に同一の駆動電圧波形を印加して全セル初期化動作を行い、その後走査電極ＳＣ１〜ＳＣｎのそれぞれに走査パルスを順次印加して書込み動作を行っている。このような駆動方法を、以下「１相駆動」と略記する。従って第１フィールドのＳＦ１は、全セル初期化動作を行い、かつ１相駆動を行うサブフィールドである。
【００４６】
続くＳＦ２の初期化期間では、選択初期化動作を行う。具体的には、維持電極ＳＵ１〜ＳＵｎに電圧Ｖｅ１を印加し、走査電極ＳＣ１〜ＳＣｎには電圧Ｖｉ４に向かって緩やかに下降する傾斜波形電圧を印加する。するとＳＦ１の維持期間で維持放電（維持パルスの数が「０」の場合には消去放電）を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、ＳＦ１で維持放電を起こさなかった放電セルについては放電することはなく、ＳＦ１の初期化動作終了時における壁電荷がそのまま保たれる。
【００４７】
続くＳＦ２の書込み期間では、走査電極ＳＣ１、ＳＣ２、・・・、ＳＣｎに走査パルスを順次印加するとともに、発光すべき放電セルに対応するデータ電極Ｄｋ（ｋ＝１〜ｍ）に書込みパルス電圧Ｖｄを印加して書込み放電を発生させ、続く維持放電に必要な壁電荷を形成する。
【００４８】
続くＳＦ２の維持期間では、輝度重みに応じた数の維持パルスを表示電極対に印加し、書込み期間において書込み放電を起こした放電セルで維持放電を発生させる。そして維持期間の最後には壁電圧を消去する消去放電を行う。このときの消去放電は、到達電圧Ｖｒ２に向かって緩やかに上昇する上り傾斜波形電圧を走査電極ＳＣ１〜ＳＣｎに印加して発生させる。なお、到達電圧Ｖｒ２は到達電圧Ｖｒ１と等しい電圧でもよく、電圧Ｖｒ１と異なる電圧、例えば電圧Ｖｒ１よりも高い電圧であってもよい。
【００４９】
このように、第１フィールドのＳＦ２は、選択初期化動作を行い、かつ１相駆動を行うサブフィールドである。
【００５０】
続くＳＦ３〜ＳＦ１０における動作は、維持パルスの数を除いてＳＦ２の動作と同様である、すなわち選択初期化動作を行い、かつ１相駆動を行うサブフィールドであるため、説明を省略する。以上がＳＦ１の初期化期間において全セル初期化動作を行い、かつ全てのサブフィールドで１相駆動を行う第１フィールドである。なお、図１のＳＦ１０の維持期間の最後に破線で示した駆動電圧波形については後述する。
【００５１】
次に、全セル初期化動作を行うサブフィールドを有しない第２フィールドについて詳細に説明する。
【００５２】
第２フィールドのＳＦ１では、走査電極ＳＣ１〜ＳＣｎを第１走査電極群および第２走査電極群の２つの走査電極群に分け、第１走査電極群の選択初期化動作および書込み動作の終了後、第２走査電極群の選択初期化動作を行うように駆動している。以下、その詳細について説明する。
【００５３】
図２は、本発明の実施の形態におけるパネル１０の走査電極群の区分けを示す概略図であり、表示画面の上半分に対応する走査電極ＳＣ１〜ＳＣｎ／２を第１走査電極群、表示画面の下半分に対応する走査電極ＳＣｎ／２＋１〜ＳＣｎを第２走査電極群とした。例えば走査電極ＳＣ１〜ＳＣｎの数ｎが「１０８０」であれば、走査電極ＳＣ１〜ＳＣ５４０が第１走査電極群に属し、走査電極ＳＣ５４１〜ＳＣ１０８０が第２走査電極群に属する。
【００５４】
図３は、本発明の実施の形態におけるパネル１０の各電極に印加する駆動電圧波形図であり、第２フィールドにおける駆動電圧波形図である。
【００５５】
第２フィールドのＳＦ１は、第１のサブフィールドの輝度重みと同じ輝度重みを持つ第２のサブフィールドである。ＳＦ１の第１走査電極群に対する初期化期間では、第１走査電極群に属する走査電極ＳＣ１〜ＳＣｎ／２を有する放電セルで選択初期化動作を行う。具体的には、データ電極Ｄ１〜Ｄｍに電圧０（Ｖ）を印加し、維持電極ＳＵ１〜ＳＵｎに電圧Ｖｅ１を印加し、第１走査電極群に属する走査電極ＳＣ１〜ＳＣｎ／２に電圧Ｖｉ４に向かって緩やかに下降する下り傾斜波形電圧を印加する。すると第１走査電極群に属する走査電極ＳＣ１〜ＳＣｎ／２を有する放電セルのうち、直前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、直前のサブフィールドで維持放電を起こさなかった放電セルについては放電することはなく、直前のサブフィールドまたはそれ以前のサブフィールドの初期化動作終了時における壁電荷がそのまま保たれる。
【００５６】
この間、第２走査電極群に属する走査電極ＳＣｎ／２＋１〜ＳＣｎには電圧Ｖｉ４に向かって緩やかに下降する下り傾斜波形電圧を印加しないので、第２走査電極群に属する走査電極ＳＣｎ／２＋１〜ＳＣｎを有する放電セルでは初期化放電は発生しない。
【００５７】
続くＳＦ１の第１走査電極群に対する書込み期間では、走査電極ＳＣ１、ＳＣ２、・・・、ＳＣｎ／２に電圧Ｖａの走査パルスを順次印加するとともに、第１走査電極群に属する走査電極ＳＣ１〜ＳＣｎ／２を有する放電セルのうち、発光すべき放電セルに対応するデータ電極Ｄｋに電圧Ｖｄの書込みパルスを印加して書込み放電を発生させ、続く維持放電に必要な壁電荷を形成する。
【００５８】
この間、第２走査電極群に属する走査電極ＳＣｎ／２＋１〜ＳＣｎには走査パルスを印加しないので、第２走査電極群に属する走査電極ＳＣｎ／２＋１〜ＳＣｎを有する放電セルでは書込み放電は発生しない。
【００５９】
続くＳＦ１の第２走査電極群に対する初期化期間では、第２走査電極群に属する走査電極ＳＣｎ／２＋１〜ＳＣｎを有する放電セルで選択初期化動作を行う。具体的には、データ電極Ｄ１〜Ｄｍに電圧０（Ｖ）を印加し、維持電極ＳＵ１〜ＳＵｎに電圧Ｖｅ１を印加し、第２走査電極群に属する走査電極ＳＣｎ／２＋１〜ＳＣｎに電圧Ｖｉ４に向かって緩やかに下降する下り傾斜波形電圧を印加する。すると第２走査電極群に属する走査電極ＳＣｎ／２＋１〜ＳＣｎを有する放電セルのうち、直前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、直前のサブフィールドで維持放電を起こさなかった放電セルについては放電することはなく、直前のサブフィールドまたはそれ以前のサブフィールドの初期化動作終了時における壁電荷がそのまま保たれる。
【００６０】
この間、本実施の形態においては、第１走査電極群に属する走査電極ＳＣ１〜ＳＣｎ／２にも電圧Ｖｉ４に向かって緩やかに下降する下り傾斜波形電圧を印加している。しかし、第１走査電極群に属する走査電極ＳＣ１〜ＳＣｎ／２を有する放電セルのうち、すでに書込み放電を発生した放電セルでは、走査電極上に正の壁電圧が蓄積され、維持電極上に負の壁電圧が蓄積され、データ電極上にも負の壁電圧が蓄積されているため初期化放電は発生しない。また書込み放電を発生しなかった放電セルでは第１走査電極群に対する初期化動作終了時における壁電荷がそのまま保たれるため初期化放電は発生しない。このように、第１走査電極群に属する走査電極ＳＣ１〜ＳＣｎ／２を有する放電セルでは初期化放電は発生しない。
【００６１】
続くＳＦ１の第２走査電極群に対する書込み期間では、走査電極ＳＣｎ／２＋１、ＳＣｎ／２＋２、・・・、ＳＣｎに電圧Ｖａの走査パルスを順次印加するとともに、第２走査電極群に属する走査電極ＳＣｎ／２＋１〜ＳＣｎを有する放電セルのうち、発光すべき放電セルに対応するデータ電極Ｄｋに電圧Ｖｄの書込みパルスを印加して書込み放電を発生させ、続く維持放電に必要な壁電荷を形成する。
【００６２】
この間、第１走査電極群に属する走査電極ＳＣ１〜ＳＣｎ／２には走査パルスを印加しないので、第１走査電極群に属する走査電極ＳＣ１〜ＳＣｎ／２を有する放電セルでは書込み放電は発生しない。
【００６３】
続くＳＦ１の維持期間では、輝度重みに応じた数の維持パルスを表示電極対に印加し、書込み期間において書込み放電を起こした放電セルで維持放電を発生させる。そして維持期間の最後には壁電圧を消去する消去放電を行う。
【００６４】
このときの消去放電は、到達電圧Ｖｒ３に向かって緩やかに上昇する上り傾斜波形電圧を走査電極ＳＣ１〜ＳＣｎに印加して発生させる。
【００６５】
このように、第２フィールドのＳＦ１では、走査電極ＳＣ１〜ＳＣｎを第１走査電極群に属する走査電極ＳＣ１〜ＳＣｎ／２および第２走査電極群に属する走査電極ＳＣｎ／２＋１〜ＳＣｎの２つの走査電極群に分け、第１走査電極群の選択初期化動作および書込み動作の終了後、第２走査電極群の選択初期化動作を行い、その後維持動作を行っている。このような駆動方法を、以下「２相駆動」と略記する。従って第２フィールドのＳＦ１は、選択初期化動作を行い、かつ２相駆動を行うサブフィールドである。
【００６６】
続く第２フィールドのＳＦ２〜ＳＦ１０における動作は第１フィールドのＳＦ２〜ＳＦ１０における動作と同様、すなわち選択初期化動作を行いかつ１相駆動を行う動作であるため、説明を省略する。以上が全セル初期化動作を行わない第２フィールドである。
【００６７】
なお、本実施の形態においては、走査電極ＳＣ１〜ＳＣｎに印加する電圧Ｖｉ１は１４５（Ｖ）、電圧Ｖｉ２は３００（Ｖ）、電圧Ｖｉ３は１９０（Ｖ）、電圧Ｖｉ４は−１５０（Ｖ）、電圧Ｖｃは１０（Ｖ）、電圧Ｖａは−１５５（Ｖ）、電圧Ｖｓは１９０（Ｖ）、電圧Ｖｒ１および電圧Ｖｒ２は１９０（Ｖ）、電圧Ｖｒ３は２１０（Ｖ）であり、従って走査パルスの振幅は電圧（Ｖｃ−Ｖａ）＝１６５（Ｖ）である。また維持電極ＳＵ１〜ＳＵｎに印加する電圧Ｖｅ１は１４０（Ｖ）、電圧Ｖｅ２は１５５（Ｖ）である。また走査電極ＳＣ１〜ＳＣｎに印加する上り傾斜波形電圧および下り傾斜波形電圧の傾斜はともに１２（Ｖ／μ）以下である。またデータ電極Ｄ１〜Ｄｍに印加する電圧Ｖｄは７５（Ｖ）である。しかしこれらの電圧値は上述した値に限定されるものではなく、パネルの放電特性やプラズマディスプレイ装置の仕様にもとづき最適に設定することが望ましい。
【００６８】
本実施の形態においては、上述した第１フィールドと第２フィールドとを交互に用いてパネル１０を駆動することによって、走査パルスの振幅を高くすることなく、安定した書込み放電を発生させつつ黒輝度を抑えてコントラストをさらに高めた画像表示が可能となる。以下にその理由について説明する。
【００６９】
図４は、安定した書込み放電を発生させるために必要な走査パルスの振幅と走査の順番との関係を示す概略特性図であり、図４（ａ）は、本実施の形態、すなわち第２フィールドのＳＦ１において２相駆動を行った場合を示し、図４（ｂ）は、仮に第２フィールドのＳＦ１において１相駆動を行った場合を示している。なお、図４は、選択初期化動作後の時間経過と、そのとき安定した書込み放電を発生させるために必要な走査パルスの振幅の最低値との関係を測定した結果を示した図であり、走査パルスの振幅を走査電極毎に変えているわけではない。このように安定した書込み放電を発生させるために必要な走査パルスの振幅は選択初期化動作後の時間経過が長くなるほど大きくなる。
【００７０】
さらに、選択初期化動作時にプライミングが多いとこの傾向がさらに大きくなる。例えば低い階調を表示する放電セルであって、近傍に高い階調を表示する放電セル、すなわち輝度重みの大きい最後のサブフィールドで維持放電を発生する放電セルが存在する場合に、この傾向が大きくなる。加えて、第１フィールドの最後のサブフィールドと第２フィールドのＳＦ１との時間間隔が短いと残留するプライミングがさらに増えるので、この傾向がさらに大きくなる。
【００７１】
これは、初期化放電よって放電セルに形成された壁電荷が、時間の経過とともに徐々に減少するためと考えられる。この壁電荷の減少は、例えば表示画像に応じた書込みパルスが書込み期間中に各データ電極に印加され暗電流が流れて発生する。そのため走査の順番が遅い放電セルほど壁電荷は減少し、その分、走査パルス電圧を大きくしなければならなくなると考えられる。
【００７２】
仮に第２フィールドのＳＦ１において１相駆動を行ったと仮定すると、図４（ｂ）に示すように、最初に走査パルスを印加する走査電極ＳＣ１と最後に走査パルスを印加する走査電極ＳＣｎとの電圧差は約３４（Ｖ）になることが実験により確認された。
【００７３】
しかしながら本実施の形態においては、第２フィールドのＳＦ１において２相駆動を行っている。そのため、最初に走査パルスを印加する走査電極ＳＣ１、ＳＣｎ／２＋１と最後に走査パルスを印加する走査電極ＳＣｎ／２、ＳＣｎとの時間差は１相駆動を行った場合の１／２に短縮される。その結果、最初に走査パルスを印加する走査電極ＳＣ１、ＳＣｎ／２＋１と最後に走査パルスを印加する走査電極ＳＣｎ／２、ＳＣｎとの電圧差は約１４（Ｖ）になり、１相駆動と比較して約２０（Ｖ）低減できることが実験により確認された。
【００７４】
このように、本実施の形態においては、第２フィールドのＳＦ１において２相駆動を行うことにより、安定した書込み放電を発生させるために必要な走査パルスの振幅を低減することが可能となる。
【００７５】
次に、パネル１０を駆動するための駆動回路とその動作について説明する。図５は、本発明の実施の形態におけるプラズマディスプレイ装置４０の回路ブロック図である。プラズマディスプレイ装置４０は、パネル１０とその駆動回路とを備え、駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００７６】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する信号に変換し各データ電極Ｄ１〜Ｄｍを駆動する。タイミング発生回路４５は垂直および水平同期信号をもとにして各回路ブロックの動作を制御する各種のタイミング信号を発生し、それぞれの回路ブロックへ供給する。走査電極駆動回路４３は、タイミング信号にもとづいて各走査電極ＳＣ１〜ＳＣｎをそれぞれ駆動する。維持電極駆動回路４４は、タイミング信号にもとづいて維持電極ＳＵ１〜ＳＵｎを駆動する。
【００７７】
図６は、本発明の実施の形態におけるプラズマディスプレイ装置４０の走査電極駆動回路４３の回路図である。
【００７８】
走査電極駆動回路４３は、維持期間において維持放電を発生させるための維持パルスを発生させる維持パルス発生回路５０と、初期化期間において初期化放電を発生させるための傾斜波形電圧を発生させるとともに維持期間において消去放電を発生させるための傾斜波形電圧を発生させる傾斜波形電圧発生回路６０と、書込み期間において書込み放電を発生させるための走査パルスを発生させる走査パルス発生回路７０とを備えている。
【００７９】
維持パルス発生回路５０は、走査電極ＳＣ１〜ＳＣｎを駆動するときの電力を回収して再利用するための電力回収回路５１と、走査電極ＳＣ１〜ＳＣｎを電圧Ｖｓにクランプするためのスイッチング素子Ｑ５５と、走査電極ＳＣ１〜ＳＣｎを電圧０（Ｖ）にクランプするためのスイッチング素子Ｑ５６とを有する。なおスイッチング素子Ｑ９１は分離スイッチであり、スイッチング素子Ｑ５５の寄生ダイオードを介して電流が逆流するのを防止するために設けられている。
【００８０】
走査パルス発生回路７０は、スイッチング素子Ｑ７１Ｈ１〜Ｑ７１Ｈｎ、Ｑ７１Ｌ１〜Ｑ７１Ｌｎ、スイッチング素子Ｑ７２を有する。そして電圧Ｖａの電源、および電圧Ｖａの電源に重畳された電圧Ｖｐの電源をもとにして走査パルスを発生し、書込み期間において走査電極ＳＣ１〜ＳＣｎのそれぞれに、図１および図３に示したタイミングで走査パルスを順次印加する。なお、走査パルス発生回路７０は、初期化期間および維持期間では維持パルス発生回路５０、傾斜波形電圧発生回路６０の出力電圧をそのまま出力する。すなわち、図６に示したＡ点の電位を走査電極ＳＣ１〜ＳＣｎへ出力する。
【００８１】
なお本実施の形態において、図１に示した電圧Ｖｉ１は電圧Ｖｐに等しく、電圧Ｖｉ３は電圧Ｖｓに等しい。すなわち、スイッチング素子Ｑ５６、スイッチング素子Ｑ９２、スイッチング素子Ｑ７１Ｈ１〜Ｑ７１Ｈｎをオンすることで走査電極ＳＣ１〜ＳＣｎに電圧Ｖｉ１を印加することができ、スイッチング素子Ｑ５５、スイッチング素子Ｑ９１、スイッチング素子Ｑ７１Ｌ１〜Ｑ７１Ｌｎをオンすることで走査電極ＳＣ１〜ＳＣｎに電圧Ｖｉ３を印加することができる。また図１および図３に示した電圧Ｖｃは、電圧（Ｖｐ＋Ｖａ）に等しい。すなわち、スイッチング素子Ｑ７２、スイッチング素子Ｑ７１Ｈ１〜Ｑ７１Ｈｎをオンすることで走査電極ＳＣ１〜ＳＣｎに電圧Ｖｃを印加することができる。しかしこれらの電圧は上記に限定されるものではなく、回路構成に応じて適宜設定することができる。
【００８２】
傾斜波形電圧発生回路６０は、ミラー積分回路６１、６２、６３を備え、上述した傾斜波形電圧を発生させる。ミラー積分回路６１は、トランジスタＱ６１とコンデンサＣ６１と抵抗Ｒ６１とを有し、電圧Ｖｉ２まで緩やかに上昇する上り傾斜波形電圧を発生する。ミラー積分回路６２は、トランジスタＱ６２とコンデンサＣ６２と抵抗Ｒ６２とを有し、電圧Ｖｉ４まで緩やかに低下する下り傾斜波形電圧を発生する。ミラー積分回路６３は、トランジスタＱ６３とコンデンサＣ６３と抵抗Ｒ６３と、逆流防止用ダイオードＤ６３とを有し、電圧Ｖｒ１〜電圧Ｖｒ４のいずれかまで緩やかに上昇する上り傾斜波形電圧を発生する。なおスイッチング素子Ｑ９２も分離スイッチであり、走査電極駆動回路４３を構成するスイッチング素子の寄生ダイオード等を介して電流が逆流するのを防止するために設けられている。そしてスイッチング素子Ｑ９２を導通させることで、図６に示したＢ点の電位とＡ点の電位とが等しくなる。
【００８３】
なお、これらのスイッチング素子およびトランジスタは、ＭＯＳＦＥＴやＩＧＢＴ等の一般に知られた素子を用いて構成することができる。またこれらのスイッチング素子およびトランジスタは、タイミング発生回路４５で発生したそれぞれのスイッチング素子およびトランジスタに対応するタイミング信号により制御される。
【００８４】
次に、走査電極駆動回路４３の動作、特に第２フィールドのＳＦ１において２相駆動を行うための動作について説明する。図７は、本発明の実施の形態におけるプラズマディスプレイ装置４０の走査電極駆動回路４３の動作を説明するためのタイミングチャートである。
【００８５】
第１走査電極群に対する初期化期間では、時刻ｔ１において、ミラー積分回路６２の入力端子ＩＮ６２に一定電圧、例えば電圧１５（Ｖ）を印加する。すると抵抗Ｒ６２からコンデンサＣ６２に向かって一定の電流が流れ、トランジスタＱ６２のドレイン電圧、すなわち図６のＡ点の電圧が一定の勾配で緩やかに下降し始める。このときスイッチング素子Ｑ７１Ｌ１〜Ｑ７１Ｌｎ／２がオンであるので、第１走査電極群の走査電極ＳＣ１〜ＳＣｎ／２のそれぞれにも緩やかに下降する傾斜波形電圧が印加される。しかしスイッチング素子Ｑ７１Ｈｎ／２＋１〜Ｑ７１Ｈｎおよびスイッチング素子Ｑ７１Ｌｎ／２＋１〜Ｑ７１Ｌｎがオフであるため、第２走査電極群の走査電極ＳＣｎ／２＋１〜ＳＣｎはフローティング状態となり、電圧が印加されない。
【００８６】
このようにして第１走査電極群に対する初期化期間において、第１走査電極群に属する走査電極ＳＣ１〜ＳＣｎ／２だけで選択初期化動作を行う。
【００８７】
第１走査電極群に対する書込み期間では、時刻ｔ２において、スイッチング素子Ｑ７２をオンにしてＡ点の電圧を負の電圧Ｖａにするとともに、スイッチング素子Ｑ７１Ｌ１〜Ｑ７１Ｌｎをオフ、スイッチング素子Ｑ７１Ｈ１〜Ｑ７１Ｈｎをオンとして、走査電極ＳＣ１〜ＳＣｎのそれぞれに電圧Ｖｃ、すなわち電圧（Ｖａ＋Ｖｐ）を印加する。
【００８８】
次に、時刻ｔ３においてスイッチング素子Ｑ７１Ｈ１をオフ、スイッチング素子Ｑ７１Ｌ１をオンにし、時刻ｔ４においてスイッチング素子Ｑ７１Ｌ１をオフ、スイッチング素子Ｑ７１Ｈ１をオンに戻す。このようにして走査電極ＳＣ１に走査パルスを印加する。以下同様にして、第１走査電極群に属する走査電極ＳＣｎ／２に至るまで走査パルスを順次印加する。
【００８９】
その後、時刻ｔ５において、スイッチング素子Ｑ７２をオフ、スイッチング素子Ｑ５６、Ｑ９２をオンにしてＡ点の電圧を電圧０（Ｖ）にするとともに、スイッチング素子Ｑ７１Ｈ１〜Ｑ７１Ｈｎをオフ、スイッチング素子Ｑ７１Ｌ１〜Ｑ７１Ｌｎをオンとする。
【００９０】
次の第２走査電極群に対する初期化期間では、時刻ｔ６において、スイッチング素子Ｑ５６、Ｑ９２をオフに戻すとともに、ミラー積分回路６２の入力端子ＩＮ６２に一定電圧、例えば電圧１５（Ｖ）を印加する。するとＡ点の電圧が一定の勾配で緩やかに下降し始める。このときスイッチング素子Ｑ７１Ｌ１〜Ｑ７１Ｌｎがオンであるので、走査電極ＳＣ１〜ＳＣｎのそれぞれにも緩やかに下降する傾斜波形電圧が印加される。そして第２走査電極群に属する走査電極ＳＣｎ／２＋１〜ＳＣｎで選択初期化動作を行う。このとき第１走査電極群に属する走査電極ＳＣ１〜ＳＣｎ／２では上述したように初期化放電は発生しない。
【００９１】
このようにして第２走査電極群に対する初期化期間において、第２走査電極群に属する走査電極ＳＣｎ／２＋１〜ＳＣｎだけで選択初期化動作を行う。
【００９２】
第２走査電極群に対する書込み期間では、時刻ｔ７において、スイッチング素子Ｑ７２をオンにしてＡ点の電圧を負の電圧Ｖａにするとともに、スイッチング素子Ｑ７１Ｌ１〜Ｑ７１Ｌｎをオフ、スイッチング素子Ｑ７１Ｈ１〜Ｑ７１Ｈｎをオンとして、走査電極ＳＣ１〜ＳＣｎのそれぞれに電圧Ｖｃ、すなわち電圧（Ｖａ＋Ｖｐ）を印加する。
【００９３】
次に、時刻ｔ８においてスイッチング素子Ｑ７１Ｈｎ／２＋１をオフ、スイッチング素子Ｑ７１Ｌｎ／２＋１をオンにし、時刻ｔ９においてスイッチング素子Ｑ７１Ｌｎ／２＋１をオフ、スイッチング素子Ｑ７１Ｈｎ／２＋１をオンに戻す。このようにして走査電極ＳＣｎ／２＋１に走査パルスを印加する。以下同様にして、第２走査電極群に属する走査電極ＳＣｎに至るまで走査パルスを順次印加する。
【００９４】
その後、時刻ｔ１０において、スイッチング素子Ｑ７２をオフ、スイッチング素子Ｑ５６、Ｑ９２をオンにしてＡ点の電圧を電圧０（Ｖ）にするとともに、スイッチング素子Ｑ７１Ｈ１〜Ｑ７１Ｈｎをオフ、スイッチング素子Ｑ７１Ｌ１〜Ｑ７１Ｌｎをオンとする。
【００９５】
以上のようにして、走査電極駆動回路４３を用いて２相駆動を行うことができる。
【００９６】
なお本実施の形態においては、第２走査電極群に対する初期化期間において、第２走査電極群に属する走査電極ＳＣｎ／２＋１〜ＳＣｎのそれぞれに電圧Ｖｉ４まで降下する傾斜波形電圧を印加するだけでなく、第１走査電極群に属する走査電極ＳＣ１〜ＳＣｎ／２のそれぞれにも電圧Ｖｉ４まで降下する傾斜波形電圧を印加する例について説明した。しかしながら本発明はこれに限定されるものではなく、第２走査電極群に対する初期化期間において、第１走査電極群に属する走査電極ＳＣ１〜ＳＣｎ／２には放電が発生しない範囲の任意の電圧を印加してもよく、またフローティング状態としてもよい。
【００９７】
また本実施の形態においては、第１走査電極群に対する初期化期間において、第２走査電極群に属する走査電極ＳＣｎ／２＋１〜ＳＣｎのそれぞれをフローティング状態とする例について説明した。しかしながら本発明はこれに限定されるものではなく、電圧Ｖｉ４までに至らない範囲で、降下する傾斜波形電圧を印加してもよい。この場合であっても第２走査電極群に対する初期化期間において電圧Ｖｉ４まで降下する傾斜波形電圧を印加することで初期化放電を発生させることができる。
【００９８】
また本実施の形態においては、第２フィールドのＳＦ１のみで２相駆動を行い、それ以外のサブフィールドでは１相駆動を行うものとして説明した。しかし本発明はこれに限定されるものではない。第２フィールドのＳＦ１で２相駆動を行うとともに、第１フィールドの選択初期化動作を行うサブフィールドおよび第２フィールドの他のサブフィールドで２相駆動を行ってもよい。しかしながら第１フィールドの全セル初期化動作を行うサブフィールドで２相駆動を行うことは望ましくない。
【００９９】
これは、走査電極ＳＣ１〜ＳＣｎに電圧Ｖｉ２に向かって緩やかに上昇する上り傾斜波形電圧を印加した後すぐに電圧Ｖｉ４に向かって緩やかに下降する下り傾斜波形電圧を印加した場合の初期化放電にともなう発光輝度と、走査電極ＳＣ１〜ＳＣｎに電圧Ｖｉ２に向かって緩やかに上昇する上り傾斜波形電圧を印加した後一定の時間をおいて電圧Ｖｉ４に向かって緩やかに下降する下り傾斜波形電圧を印加した場合の初期化放電にともなう発光輝度とが異なることが実験的に確認されている。そのため全セル初期化動作を行うサブフィールドで２相駆動を行うと第１走査電極群の放電セルと、第２走査電極群の放電セルとの間に輝度差が発生して画像表示品質が低下する。
【０１００】
なお本実施の形態においては、走査電極ＳＣ１〜ＳＣｎを、表示画面の上半分に対応する走査電極ＳＣ１〜ＳＣｎ／２を第１走査電極群とし、表示画面の下半分に対応する走査電極ＳＣｎ／２＋１〜ＳＣｎを第２走査電極群とした例について説明した。しかし本発明はこれに限定されるものではなく、例えば、奇数番目に属する走査電極を第１走査電極群とし、偶数番目に属する走査電極を第２走査電極群としてもよい。
【０１０１】
また本実施の形態においては、走査電極ＳＣ１〜ＳＣｎを２つの走査電極群に分けた例について説明したが、本発明はこれに限定されるものではない。例えば走査電極ＳＣ１〜ＳＣｎを３つの走査電極群に分け、第１フィールドの全セル初期化サブフィールドにおいて走査電極に同一の初期化波形を印加して全セル初期化動作を行い、第１フィールドの全セル初期化サブフィールドの輝度重みと同じ輝度重みを持つ第２フィールドの第２のサブフィールドにおいて、第１走査電極群の選択初期化動作および書込み動作の終了後、第２走査電極群の選択初期化動作を行い、その後第３走査電極群の選択初期化動作を行うように駆動してもよい。
【０１０２】
さらに、パネル１０の表示領域を複数の領域に分け、複数の領域に対応して走査電極ＳＣ１〜ＳＣｎを複数の走査電極群に分け、第１フィールドの最後のサブフィールドの点灯率をそれぞれの領域において算出し、点灯率が大きい領域の順に、対応する走査電極群の選択初期化動作および書込み動作を行ってもよい。このように表示画像に応じて走査電極群の選択初期化動作および書込み動作の順序を切換えて駆動することで、安定した書込み放電を発生させるために必要な走査パルスの振幅をさらに抑制することができる。
【０１０３】
また図６に示した駆動回路は、図１および図３に示した駆動電圧波形を発生させる回路構成の一例であって、本発明のプラズマディスプレイ装置は、この回路構成に限定されるものではない。
【０１０４】
また走査電極ＳＣ１〜ＳＣｎに印加する駆動電圧波形として、図１に破線で示したように第１フィールドの最後のサブフィールドの維持期間の最後に、第２フィールドのＳＦ１の初期化期間に印加する駆動電圧波形と同じ駆動電圧波形を印加してもよい。この場合は第２フィールドの最初のサブフィールドの選択初期化期間を省略してもよい。また図３に示したように第２フィールドの最後のサブフィールドの維持期間の最後に電圧Ｖｒ２まで緩やかに上昇した後に電圧Ｖｉ４まで緩やかに低下する傾斜波形電圧を印加してもよい。
【０１０５】
また、図１および図３には、走査電極ＳＣ１〜ＳＣｎに印加する駆動電圧波形として、消去放電を発生するための上り傾斜波形電圧の後、一旦電圧０（Ｖ）に戻し、その後選択初期化動作を行うための下り傾斜波形電圧を印加する駆動電圧波形を示した。しかしながら、上り傾斜波形電圧を印加した後、下り傾斜波形電圧を印加する前に、必ずしも電圧０（Ｖ）に戻す必要はない。例えば上り傾斜波形電圧を印加した後、その電圧から緩やかに低下する下り傾斜波形電圧を印加してもよい。また、例えば上り傾斜波形電圧を印加した後、電圧０（Ｖ）よりも高い電圧を印加し、その後、選択初期化動作を行うための下り傾斜波形電圧を印加する駆動電圧波形であってもよい。
【０１０６】
また、本実施の形態においては、書込み期間において走査電極に印加する走査パルス、およびデータ電極に印加する書込みパルスについては特に言及しなかった。しかし全セル初期化動作を行わないとプライミングが不足し、その結果、走査電極に走査パルスを印加しデータ電極に書込みパルスを印加してから書込み放電が発生するまでの時間（放電遅れ時間）が長くなる傾向がある。そのため、全セル初期化動作を行わない第２フィールドのＳＦ１の書込み期間における走査パルスおよび書込みパルスのパルス幅を、全セル初期化動作を行う第１フィールドのＳＦ１の書込み期間における走査パルスおよび書込みパルスのパルス幅よりも長く設定してもよい。例えば、第１フィールドのＳＦ１の書込み期間における走査パルスおよび書込みパルスのパルス幅を１．０ｎｓ、第２フィールドのＳＦ１の書込み期間における走査パルスおよび書込みパルスのパルス幅をそれより長い１．６ｎｓと設定することができる。このことにより、たとえ第２フィールドのＳＦ１の書込み期間における放電遅れ時間が長くなっても確実に書込み放電を発生させることができる。
【０１０７】
なお、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【０１０８】
本発明は、全セル初期化動作を行うサブフィールドを１フィールドに１回未満の割合に設定しても、安定した書込み放電を発生させつつ、黒輝度を抑えてコントラストをさらに高めることができ、パネルの駆動方法およびプラズマディスプレイ装置として有用である。
【図面の簡単な説明】
【０１０９】
【図１】本発明の実施の形態におけるパネルの各電極に印加する駆動電圧波形図
【図２】同パネルの走査電極群の区分けを示す概略図
【図３】同パネルの各電極に印加する駆動電圧波形図
【図４】安定した書込み放電を発生させるために必要な走査パルスの振幅と走査の順番との関係を示す概略特性図
【図５】本発明の実施の形態におけるプラズマディスプレイ装置の回路ブロック図
【図６】同プラズマディスプレイ装置の走査電極駆動回路の回路図
【図７】同プラズマディスプレイ装置の走査電極駆動回路の動作を説明するためのタイミングチャート
【図８】一般的なパネルの分解斜視図
【図９】同パネルの電極配列図
【図１０】同パネルにおいて全セル初期化動作を行うための条件を説明するための図
【符号の説明】
【０１１０】
１０    パネル
２２    走査電極
２３    維持電極
２４    表示電極対
３２    データ電極
４０    プラズマディスプレイ装置
４１    画像信号処理回路
４２    データ電極駆動回路
４３    走査電極駆動回路
４４    維持電極駆動回路
４５    タイミング発生回路
５０    維持パルス発生回路
６０    傾斜波形電圧発生回路
７０    走査パルス発生回路
【図１】
2010117391.tif 000003
【図２】
2010117391.tif 000004
【図３】
2010117391.tif 000005
【図４】
2010117391.tif 000006
【図５】
2010117391.tif 000007
【図６】
2010117391.tif 000008
【図７】
2010117391.tif 000009
【図８】
2010117391.tif 000010
【図９】
2010117391.tif 000011
【図１０】
2010117391.tif 000012